(57)【要約】【課題】内部に貯留された水溶液が外部に出ることを防止可能な容器、及び除湿装置を提供すること。【解決手段】除湿装置１０の容器１５は、水蒸気が通過可能であり、かつ、除湿剤４０が水蒸気により潮解して生成された水溶液の通過を規制する透湿部Ｘを、内部の空間Ｒを構成する部分の少なくとも一部に有する容器本体２０と、容器本体２０の表面に沿って透湿部の下方に設けられ、上縁３１以外の縁が容器本体２０に固定された、水溶液を通さない材料で形成されたカバー部材３０と、を備える。【選択図】      図２
2019118849.tif 000002
【特許請求の範囲】
【請求項１】
除湿剤を収容可能容器であって、
水蒸気が通過可能であり、かつ、前記除湿剤が水蒸気により潮解して生成された水溶液の通過を規制する透湿部を、内部の空間を構成する部分の少なくとも一部に有する容器本体と、
前記容器本体の表面に沿って前記透湿部の下方に設けられ、上縁以外の縁が前記容器本体に固定された、前記水溶液を通さない材料で形成されたカバー部材と、
を具備した容器。
【請求項２】
前記カバー部材は、前記透湿部の下縁を含む範囲を覆う、
請求項１に記載の容器。
【請求項３】
除湿剤と、
水蒸気が通過可能であり、かつ、前記除湿剤が水蒸気により潮解して生成された水溶液の通過を規制する透湿部を、内部の空間を構成する部分の少なくとも一部に有する容器本体、及び、前記容器本体の表面に沿って前記透湿部の下方に設けられ、上縁以外の縁が前記容器本体に固定された、前記水溶液を通さない材料で形成されたカバー部材と、を具備した容器と、
を具備した除湿装置。
【請求項４】
前記カバー部材は、前記透湿部の下縁を含む範囲を覆う、
請求項３に記載の除湿装置。
【発明の詳細な説明】
【技術分野】
【０００１】
本発明は、内部に除湿剤を収容する容器、及び除湿装置に関する。
【背景技術】
【０００２】
従来、袋状の容器に潮解性の除湿剤を収容した除湿装置が知られている。この種の容器として、当該容器内の空間を構成する部分の一部を、微多孔膜を含むシート部材で形成した容器が知られている。微多孔膜は、水蒸気を通し、かつ、除湿剤が水蒸気により潮解して生成された水溶液の通過を規制する孔が複数形成された膜である（例えば、特許文献１参照）。微多孔膜を通過して容器内に侵入した空気中の水蒸気は、除湿剤と反応して水溶液となり、容器内に溜まる。
【先行技術文献】
【特許文献】
【０００３】
【特許文献１】実開昭６０−５２２５６号公報
【発明の概要】
【発明が解決しようとする課題】
【０００４】
上述のように、内部の空間を構成する部分の一部が微多孔膜を含むシート部材から形成された容器を有する除湿装置には、以下の問題があった。すなわち、容器に外部から圧力が加わると、容器内部の水溶液が微多孔膜を通過して外部に出る。または、微多孔膜に汚れ等が付着すると、汚れ等の性質によっては、容器内の水溶液が微多孔膜を通過して外部に出るという問題がある。または、使用時に透湿フィルムに穴が開いてしまい、穴から容器内の水溶液が外部に出るという問題が有る。
【０００５】
例えば、ユーザが容器を強く握ったり、または、容器を落下させることによって容器が外部から押圧されると、容器内の水溶液が微多孔を通過して外部に出る場合がある。
【０００６】
または、使用者が、ハンドクリーム等が付着した手で微多孔膜に触れると、ハンドクリーム等に含まれる界面活性成分が微多孔膜に付着する虞がある。微多孔膜の界面活性成分が付着した所は表面張力が下がり、容器内の水溶液が微多孔膜を通過して外部に出てしまう。
【０００７】
または、使用時に微多孔膜やフィルムなどの表面にきずがついたり、熱溶着された端部が切れてしまったりすることで、使用時に容器内の水溶液が微多孔膜を通過して外部に出てしまう。このように、容器内の水溶液が外部に出ることにより、除湿装置の周囲が汚れる。
【０００８】
この為、本発明は、内部に貯留された水溶液が外部に出ることを防止可能な容器、及び除湿装置に関する。
【課題を解決するための手段】
【０００９】
本発明の容器は、除湿剤を収容可能容器である。前記容器は、水蒸気が通過可能であり、かつ、前記除湿剤が水蒸気により潮解して生成された水溶液の通過を規制する透湿部を、内部の空間を構成する部分の少なくとも一部に有する容器本体と、前記容器本体の表面に沿って前記透湿部の下方に設けられ、上縁以外の縁が前記容器本体に固定された、前記水溶液を通さない材料で形成されたカバー部材と、を備える。
【００１０】
本発明の除湿装置は、除湿剤と、容器と、を備える。前記容器は、水蒸気が通過可能であり、かつ、前記除湿剤が水蒸気により潮解して生成された水溶液の通過を規制する透湿部を、内部の空間を構成する部分の少なくとも一部に有する容器本体と、前記容器本体の表面に沿って前記透湿部の下方に設けられ、上縁以外の縁が前記容器本体に固定された、前記水溶液を通さない材料で形成されたカバー部材と、を備える。
【発明の効果】
【００１１】
本発明によれば、容器内の水溶液が外部に出た場合であっても、当該容器外に出た水溶液は透湿部を伝ってカバー部材の上縁と容器本体との間の隙間を通って、カバー部材と容器本体とにより構成された収容空間内に収容されるので、外部に出た水溶液が載置部上に流れ出ることを防止できる。
【００１２】
さらに、カバー部材によって、使用者が接触しても、容器の内部の空間から水溶液が出ることがない範囲を確保することができる。換言すると、使用者はカバー部材を把持することによって、使用者の手に界面活性成分等の異物が付着していた場合であっても、容器内から水溶液が外部に出ることを防止できる。
【図面の簡単な説明】
【００１３】
【図１】本発明の実施形態に係る除湿装置を前方から見た状態を一部切り欠いて示す斜視図。
【図２】本発明の実施形態に係る除湿装置を後方から見た状態を示す背面図。
【図３】本発明の実施形態に係る除湿装置に用いられる容器の後壁部を示す断面図。
【図４】本発明の実施形態に係る除湿装置に用いられるカバー部材の溶着箇所を示す説明図。
【図５】本発明の実施形態に係る除湿装置の変形例を示す概略図。
【発明を実施するための形態】
【００１４】
本発明の一実施形態に係る除湿装置１０を、図１乃至図５を用いて説明する。図１は、除湿装置１０を前方から見た状態を一部切り欠いて示す斜視図である。図２は、除湿装置１０を後方から見た状態を示す背面図である。図３は、除湿装置１０に用いられる容器１５の後壁部２２を示す断面図である。図４は、除湿装置１０に用いられるカバー部材３０の溶着箇所を示す説明図である。なお、図４中では、溶着箇所をわかりやすくするために、ハッチングを付している。このハッチングは断面を示すものではない。
【００１５】
図１及び図２に示すように、除湿装置１０は、容器１５、及び、容器１５内に収容された除湿剤４０を有している。  
容器１５は、容器本体２０、及び容器本体２０に固定されたカバー部材３０を有している。容器本体２０は、内部に閉塞した空間Ｒを有している。さらに、容器本体２０は、少なくとも一部が、透湿部に形成されている。透湿部は、後述する微多孔膜２４を含むシート部材から形成された部分であり、水蒸気を通し、かつ、容器本体２０内に貯留された水溶液を通さない性質を有する部分である。容器本体２０内に貯留された水溶液は、本実施形態では、除湿剤４０が水蒸気により潮解して生成された水溶液である。
【００１６】
容器本体２０は、一例として、複数のシート部材を、例えば熱による溶着によって固定することにより構成された所謂スタンディングパウチ容器である。容器本体２０は、立位状態で机等の載置部１上に載置可能に構成されている。
【００１７】
本実施形態では、容器本体２０は、一例として、前壁部２１、後壁部２２、及び底壁部２３を有している。容器本体２０は、前壁部２１、後壁部２２、及び底壁部２３により、内部に除湿剤４０を収容可能な空間Ｒを形成する。
【００１８】
前壁部２１は、透明であり、空気、及び、容器１５内に貯留された水溶液を通さないシート部材から形成されている。前壁部２１は、空気を通さないことから、水蒸気も通さない。前壁部２１は、一例として、ポリアミドやポリエチレン、ポリプロピレン、ポリエステル、塩化ビニル等から形成されたプラスチックフィルムを有している。前壁部２１は、一例として、長方形状に形成されている。
【００１９】
図２に示すように、後壁部２２は、水蒸気を通し、且つ、容器本体２０内に貯留された水溶液の通過を規制する微多孔膜２４を含むシート部材から形成されている。このシート部材は、具体的には、図３に示すように、空気を通し、かつ、除湿剤４０が水蒸気により潮解して生成された水溶液を通さない性質を有する微多孔膜２４、及び、この微多孔膜２４の両面のそれぞれに固定された不織布２５を有するシート部材である。微多孔膜の厚みは、一例で、２０μｍ以上であって２００μｍ以下である。不織布２５は、目付けで１０ｇ以上であって１００ｇ以下である。
【００２０】
微多孔膜２４は、複数の孔を有する膜である。これらの孔のそれぞれは、水蒸気を通す大きさを有し、かつ、除湿剤４０が水蒸気により潮解して生成された水溶液が通らない大きさを有する。孔は、例えば０．１μｍ以上であって１０μｍ以下の径を有している。微多孔膜２４は、この孔を複数有することにより、水蒸気を通過させ、水溶液の通過を規制する。不織布２５は、水蒸気が通過可能に形成されている。
【００２１】
後壁部２２は、一例として、前壁部２１と同形状に形成されている。このように構成された後壁部２２の一方の短手方向に沿う第１の後壁部用縁部２２ａは、前壁部２１の一方の短手方向に沿う第１の前壁部用縁部２１ａに、一例として熱による溶着により、固定されている。
【００２２】
後壁部２２の長手方向に沿う第２の後壁部用縁部２２ｂは、前壁部２１の長手方向に沿う第２の前壁部用縁部２１ｂに、一例として熱による溶着によって、固定されている。後壁部２２の長手方向に沿う第３の後壁部用縁部２２ｃは、前壁部２１の長手方向に沿う第３の前壁部用縁部２１ｃに、一例として熱による溶着によって、固定されている。
【００２３】
このように構成された後壁部２２のうち、溶着されていない部分は、透湿部Ｘとなる。すなわち、後壁部２２の、第１の後壁部用縁部２２ａ、第２の後壁部用縁部２２ｂ、第３の後壁部用縁部２２ｃ、及び後述する底壁部２３に溶着される、短手方向に沿う第４の後壁部用縁部２２ｄを除く部分は、容器本体２０の内部の空間Ｒに空気を移動する通路として機能する部分である透湿部Ｘとなる。透湿部Ｘは、水蒸気が通過可能であり、かつ、除湿剤４０が水蒸気により潮解して生成された水溶液の通過を規制する微多孔膜２４を含むシート部材で形成された部分である。
【００２４】
底壁部２３は、容器本体２０内に貯留された水溶液、及び、空気を通さない性質を有するシート部材から形成されている。底壁部２３は、一例として、前壁部２１を構成するシート部材と同じシート部材から形成されている。
【００２５】
底壁部２３は、一例として、長方形状に形成されている。底壁部２３は、前壁部２１の長手方向の他端部、及び後壁部２２の長手方向の他端部に、例えば熱により、溶着されている。底壁部２３は、前壁部２１及び後壁部２２を互いに引き離すことによって、図１に示すように展開される。なお、底壁部２３を折り畳むことによって、容器本体２０を扁平にすることが可能となる。
【００２６】
このように構成された容器本体２０は、内部に除湿剤４０が収容されると、除湿剤４０によって前壁部２１及び後壁部２２が互いに離れることにより、底壁部２３が展開される。底壁部２３が展開されると、前壁部２１の底壁部２３側の短手方向に沿う縁、及び、後壁部２２の底壁部２３側の短手方向に沿う縁が、環状に連続する。
【００２７】
このように、前壁部２１の短手方向に沿う縁、及び後壁部２２の短手方向に沿う縁が環状に連続することにより、容器本体２０は、これら縁を下端縁として、載置部１上に載置可能となる。
【００２８】
カバー部材３０は、後壁部２２の表面に沿って透湿部Ｘの少なくとも一部より下方に設けられる。換言すると、カバー部材３０は、後壁部２２の表面に沿ってカバー部材３０の上方に透湿部Ｘの少なくとも一部が配置されるように、容器本体２０に設けられる。また、本実施形態では、カバー部材３０は、さらに、透湿部Ｘの下縁Ｘ１の全域を覆う。
【００２９】
カバー部材３０は、具体例として、透湿部Ｘの下縁Ｘ１から所定高さまでの透湿部Ｘの範囲の全域を覆う。この所定高さは、透湿部Ｘの上縁Ｘ２よりも下の位置である。さらに具体的には、カバー部材３０は、後壁部２２の略中央位置から下側かの範囲の全域を覆う。
【００３０】
なお、後壁部２２の透湿部Ｘは、後壁部２２の、内部の空間Ｒに空気を通過可能な部分である。また、後壁部２２の、容器本体２０内の空間Ｒを構成する部分とは、本実施形態では、後壁部２２の、前壁部２１や底壁部２３に溶着される縁以外の部分である。すなわち、空間の壁部を構成する部分である。また、下縁Ｘ１の全域とは、下縁Ｘ１の、上下方向に直交する幅方向の一端から他端までの範囲である。
【００３１】
カバー部材３０は、後壁部２２の下側部分と同形状の長方形状に形成されている。カバー部材３０は、上縁３１を除く３つの縁が後壁部の側縁及び下縁と重なる姿勢で後壁部２２に重ねられ、後壁部２２に上縁３１以外３つの縁部が溶着される。後壁部２２においてカバー部材３０が溶着される部分は、孔がつぶれるので、空気が通過不能となる。即ち、透湿部Ｘではない。
【００３２】
この為、透湿部Ｘの下縁Ｘ１は、図４に示すように、後壁部２２の、カバー部材３０が溶着される範囲Ｈを示すハッチング部分の内部低縁Ｈ１と同じ位置となる。また、カバー部材３０の上縁３１は、透湿部Ｘの上縁Ｘ２よりも下方に位置する。換言すると、後壁部２２は、カバー部材３０より上方に、カバー部材３０により覆われない範囲を有する。
【００３３】
カバー部材３０と後壁部２２との溶着箇所は、上縁３１の幅方向一端から、カバー部材３０の一方の側縁、カバー部材３０の下縁、及びカバー部材３０の他方の側縁を通って、及び上縁３１の幅方向他端まで連続する。このように、溶着箇所は、凹形状に形成される。この為、溶着により、カバー部材３０の縁と後壁部２２の縁との間は、シールされる。
【００３４】
カバー部材３０は、容器本体２０内に貯留した水溶液及び空気を通さない材料から形成されている。本実施形態では、一例として、カバー部材３０は前壁部２１と同じシート部材から形成されている。
【００３５】
図４に示すように、カバー部材３０は、上述したように除湿装置１０を載置部１に載置したときに上端となる上縁３１以外の縁が、熱による溶着により、容器本体２０に固定されている。そして、上縁３１及び後壁部２２との間を、漏れた水溶液が通ることが可能な通路としている。ここで言う、漏れた水溶液とは、容器１５内に貯留された水溶液が、後述する、外部の圧力、界面活性成分等により、後壁部２２を通過して外部に漏れ出た水溶液である。また、カバー部材３０と後壁部２２との間は、この漏れた水溶液が流動可能な隙間Ｓを有している。
【００３６】
カバー部材３０は、容器本体２０の前壁部２１、後壁部２２、及び底壁部２３と合わせて熱によって溶着されてもよい。
【００３７】
なお、本実施形態では、一例として、上縁３１の全域は後壁部２２に固定されていないが、他の例では、上縁３１の一部が後壁部２２に固定されてもよい。要するに、上縁３１の少なくとも一部が、後壁部２２に対して固定されていなければよい。上縁３１の一部が固定されていないことによって隙間Ｓが設けられ、この隙間Ｓを、上述の漏れた水溶液が流動可能となる。
【００３８】
さらに、本実施形態では、カバー部材３０は一例として四角状に形成されているが、例えば円や５角形等の、四角形以外の形状に形成されてもよい。このように、カバー部材３０が四角形以外の形状に形成されることによって、上縁３１が直線状ではなく、曲線または屈曲部を有する複数の直線の連続体となる場合であっても、容器１５が載置部１に載置されたときに上縁となる部分の少なくとも一部が後壁部２２に固定されないことによって、水蒸気及び水溶液が通過可能な隙間Ｓが確保される。
【００３９】
このように構成されたカバー部材３０は、透湿部Ｘの表面に沿って、透湿部Ｘの一部よりも下方に配置される。また、カバー部材３０は、透湿部Ｘの下縁Ｘ１から所定高さ位置までの全範囲を覆う。そして、カバー部材３０は、上縁３１以外の縁が、後壁部２２に固定される。
【００４０】
除湿剤４０は、一例として、塩化マグネシウムや硫酸マンガン、クエン酸、炭酸カリウム、水酸化ナトリウム、水酸化カルシウム、十酸化四リン、リン酸などの潮解性の除湿剤であり、具体的には、塩化カルシウムである。
【００４１】
なお、除湿剤４０である潮解性除湿薬剤の他に、必要に応じて従来から除湿装置に使用されている他の添加剤を混合することも可能である。他の添加剤としては、例えば、香料、消臭剤、防カビ剤、抗菌剤、増粘剤、及び色素の少なくとも１つである。
【００４２】
次に、除湿装置１０の動作を説明する。使用者は、除湿装置１０の中心より下側の部分を把持することにより、除湿装置１０を安定して移動できる。このとき、使用者は、前壁部２１、及びカバー部材３０に触れることとなる。この為、使用者の手に付着したハンドクリーム等、界面活性成分を含む異物が後壁部２２に付着することが防止される。
【００４３】
除湿装置１０の外部の水蒸気の一部は、後壁部２２のカバー部材３０に覆われていない部分を通過して容器本体２０内（空間Ｒ内）に侵入する。また、除湿装置１０の外部の水蒸気の他の一部は、カバー部材３０の上縁３１及び後壁部２２の間の隙間Ｓを通ってカバー部材３０及び後壁部２２の間に侵入し、さらに、後壁部２２を通過して容器本体２０内に侵入する。容器本体２０内に侵入した水蒸気は、除湿剤４０を潮解することによって水溶液となり、容器本体２０内に溜まる。
【００４４】
このように構成された除湿装置１０は、例えば外部からの圧力により透湿部Ｘを通して外部に水溶液が出ても、外部に出た水溶液は、容器本体２０とカバー部材３０とにより形成されたポケット内に溜まり、載置部１上に流れ出ない。また、後壁部２２のカバー部材３０より上方の部分を通って外部に出た水溶液は、後壁部２２を伝って、カバー部材３０の上縁３１と後壁部２２との間を通って、カバー部材３０と容器本体２０との間に形成されたポケット内に入る。
【００４５】
カバー部材３０によって、容器１５の、使用者が持ちやすい部分であってさらに水溶液が貯留される部分が覆われる。この為、使用者が、ハンドクリーム等の界面活性成分を含む物質が付着した手で除湿装置１０に触れても、界面活性成分が後壁部２２に付着することを防止できる。この為、界面活性成分によって表面張力が下がり、後壁部２２を通して容器本体２０内の水溶液が外部に出ることが防止される。
【００４６】
また、後壁部２２が微多孔膜２４を含むシート部材から形成され、カバー部材３０は透湿部Ｘの下縁Ｘ１から所定高さまでの範囲の全域を覆っている。このため、透湿部Ｘのカバー部材３０よりも上方の部分から漏れ出た水溶液は、カバー部材３０と後壁部２２とにより構成されたポケット内に収容される。
【００４７】
また、カバー部材３０は、透湿部Ｘの下縁Ｘ１を覆う。このため、カバー部材３０は、透湿部Ｘの下縁Ｘ１より下方に位置するので、透湿部Ｘから漏れ出た水溶液を、カバー部材３０と後壁部２２とによって構成したポケットに収容することが可能となる。
【００４８】
なお、本実施形態では、カバー部材３０の上縁３１が後壁部２２に固定されていないこと（本実施形態では溶着されていない）によって、上縁３１と後壁部２２との間は、空気及び漏れ出た水溶液が通る通路となる。
【００４９】
上縁３１と後壁部２２との間の隙間Ｓは、水溶液を通しやすい隙間に設定されてもよい。換言すると、上縁３１と後壁部２２との間隔が、水溶液を通しやすい間隔に設定されている。すなわち、上縁３１と後壁部２２との間の距離が、水溶液が通過しやすい距離に設定されてもよい。このように、上縁３１と後壁部２２との間に、水溶液が通過しや隙間Ｓが設けられた除湿装置１０の変形例を図５に示す。図５に示す変形例では、水溶液が通ることが可能な程度の隙間Ｓも有している。
【００５０】
図５に示すように、界面活性成分の作用、または、外部圧力によって、後壁部２２のカバー部材３０に覆われていない範囲から水溶液が漏れ出た場合であっても、当該水溶液が後壁部２２の表面を伝って下方に流れると、カバー部材３０の上縁３１及び後壁部２２の間の隙間Ｓを通って、カバー部材３０及び後壁部２２の間に収容される。カバー部材３０が水溶液を通さないので、カバー部材３０と後壁部２２の間に収容された水溶液は、外部に漏れ出ることがない。
【００５１】
そのため、内部に貯留された水溶液が外部に出ることを防止可能な容器、及び除湿装置を提供することが可能となる。
【００５２】
本実施形態では、カバー部材３０は、１つ設けられた。しかしながら、カバー部材３０の数は、１つに限定されない。他の例では、透湿部Ｘの下縁Ｘ１を含む範囲を少なくとも覆うカバー部材３０に加えて、さらにその上方に設けられてもよい。さらに上方に設けられるカバー部材は、複数であってもよい。
【００５３】
また、本実施形態では、後壁部２２の一部（溶着された部分を除いた部分）が透湿部Ｘに形成された。しかしながら、容器１５は、その一部が透湿部に形成されることに限定されない。他の例では、容器１５の空間Ｒを構成する部分のうち底壁部２３を除く全てが、透湿部に形成されてもよい。具体的には、前壁部２１、及び後壁部２２が、微多孔膜２４を含むシート部材、例えば本実施形態のように微多孔膜２４及び不織布２５を有するシート部材で形成されてもよい。
【００５４】
さらに、本実施形態では、後壁部２２が、微多孔膜２４を含むシート部材で形成されたが、例えば、後壁部２２の一部を、微多孔膜２４を含むシート部材で形成してもよい。この場合であっても、カバー部材３０は、微多孔膜２４を含むシート部材で形成された部分のうちの透湿部Ｘの、下縁を含む一部を覆う。
【００５５】
または、後壁部２２以外が透湿部に形成されてもよい。この一例としては、前壁部２１の一部を、微多孔膜２４を含むシート部材で形成してもよい。
【００５６】
本実施形態では、透湿部を形成する、微多孔膜２４を含むシート部材は、微多孔膜２４、及び微多孔膜２４の両面のそれぞれに固定された不織布２５を有している。しかしながら、微多孔膜２４を含むシート部材は、他の例では、不織布２５を片面だけ有してもよいし、不織布２５を有していなくてもよい。このように、透湿部Ｘを構成するシート部材は、少なくとも微多孔膜２４を含んでいればよい。
【００５７】
なお、本実施形態では、後壁部２２は、微多孔膜２４を含むシート部材から形成された。この為、カバー部材３０は、透湿部Ｘの一部を覆うとともに、透湿部Ｘの他部に対して下方に位置することとなる。しかしながら、カバー部材３０は、透湿部Ｘを覆うことに限定されない。例えば、後壁部２２の上半分が透湿部Ｘに形成され、下半分が前壁部１１と同じシート部材から形成された場合、カバー部材３０は、下半分の全域を覆うように後壁に固定されてもよい。この場合であってもカバー部材３０より上方の透湿部Ｘから漏れ出た水溶液は、後壁部２２の表面を伝ってカバー部材３０と後壁部２２とにより構成されたポケット内に収容される。
【００５８】
このように、カバー部材３０が透湿部Ｘよりも下方に位置することによって、透湿部Ｘから漏れ出た水溶液を、カバー部材３０及び後壁部２２によって構成されたポケット内に収容することが可能となる。
【００５９】
また、本実施形態では、カバー部材３０は、一例として、後壁部２２と、前壁部２１及び底壁部２３との溶着箇所に、溶着された。具体例としては、カバー部材３０は、後壁部２２と一体に、前壁部２１及び底壁部２３に溶着された、この為、カバー部材３０は、後壁部２２に固定されたときに、透湿部Ｘを狭めることがない。
【００６０】
しかしながら、他の例としては、カバー部材３０は、後壁部２２と前壁部２１との溶着箇所よりも内側、及び、後壁部２２と底壁部２３の溶着箇所よりも内側に、溶着されてもよい。この場合では、後壁部２２とカバー部材３０との溶着箇所の面積分、透湿部Ｘは狭くなるが、カバー部材３０は、透湿部Ｘの表面の前面を覆うことが可能となる。
【００６１】
また、本実施形態では、カバー部材３０は、一例として、溶着により後壁部２２に固定された。しかしながら、カバー部材３０を後壁部２２に固定する手段は、溶着以外であってもよい。カバー部材３０は、例えば、接着剤によって固定されてもよい。
【００６２】
また、本実施形態では、容器本体２０の一部が透湿部Ｘに形成された。他の例では、容器本体２０は、全体が透湿部Ｘに形成されてもよい。または、容器本体２０は、内部の空間Ｒを構成する部分の全体のみが、透湿部Ｘに形成されてもよい。
【００６３】
また、本実施形態では、透湿部Ｘを、微多孔膜２４を含むシート部材から形成した。他の例では、透湿部は、水蒸気が通過可能であって、かつ、除湿剤４０が水蒸気により潮解して生成された水溶液の通過を規制するフィルムや不織布から形成されてもよい。具体例として、ウレタンフィルムや極細長繊維を重ねて熱と圧力で結合させた高密度不織布であってもよい。この場合、例えば後壁部２２をこのウレタンフィルムや高密度不織布から形成する。このように、水蒸気が通過可能であって、かつ、除湿剤４０が水蒸気により潮解して生成された水溶液の通過を規制するウレタンフィルムや高密度不織布から透湿部を形成しても、本実施形態と同様の効果が得られる。
【００６４】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００６５】
１０…除湿装置、１５…容器、２０…容器本体、２１…前壁部、２２…後壁部、２３…底壁部、２４…微多孔膜、２５…不織布、３０…カバー部材、４０…除湿剤、Ｒ…空間、Ｓ…隙間、Ｘ…透湿部。
【図１】
2019118849.tif 000003
【図２】
2019118849.tif 000004
【図３】
2019118849.tif 000005
【図４】
2019118849.tif 000006
【図５】
2019118849.tif 000007